(57)【要約】【課題】複数枚の原稿が順番通りになっていなくても、ページ番号の認識あるいは原稿内の文書のつながりから原稿を順番通りに整えて表示または出力する画像形成装置を提供することを目的とする。【解決手段】画像形成装置１００は、原稿読取部１０１は、例えばユーザが図示しないＡＤＦ（原稿自動給紙装置）に載置した複数枚の原稿を読み取り、原稿画像データを画像記憶部１０２へ送信し、画像記憶部１０２は、原稿読取部１０１から送信された原稿画像データを画像解析部１０３、仕上がり画像生成部１０５へ送信する。画像解析部１０３は、画像記憶部１０２から送信された原稿画像データから文字のつながりやページ番号の有無を解析し、複数枚の原稿の原稿特性値を抽出して仕上がり画像生成部１０５へ送信する。【選択図】図１
2007142631.tif 000002
【特許請求の範囲】
【請求項１】
複数枚の原稿を読み取る読取手段と、
前記読取手段で読み取った原稿画像データを記憶する記憶手段と、
前記記憶手段に記憶した原稿画像データを出力する出力手段とを備えた画像形成手段において、
前記記憶手段に記憶した原稿画像データから所定の順番に並べ替えるための画像データを解析する解析手段と、
前記解析手段で得られた画像データから所定の順番に並べ替えた原稿画像データを生成する生成手段と、
前記原稿画像データに特定の処理を行うための特定情報を前記生成手段へ送信する特定情報処理手段と
前記生成手段で生成された原稿画像データを表示する表示手段とを有することを特徴とする画像形成装置。
【請求項２】
前記解析手段は、前記複数枚の原稿にページ番号が印字されている場合には、前記読取手段で読み取った原稿画像データからページ番号を示す画像データを検出する検出手段を有することを特徴とする請求項１記載の画像形成装置。
【請求項３】
前記生成手段は、前記解析手段で得られた画像データからページ番号に従って前記原稿画像データを生成することを特徴とする請求項１または２記載の画像形成装置。
【請求項４】
前記解析手段は、
前記原稿画像データ内の文字列を形態素に分割する分割手段と、
形態素の構文上における修飾関係を記憶したデータベースと、
前記分割手段によって分割された形態素を前記データベース内の形態素の修飾関係とを比較する比較手段とを備えることを特徴とする請求項１記載の画像形成装置。
【請求項５】
前記分割手段では、対象となるページ内の文書の最後の文字列と残りのページ内の文書の最初の文字列を形態素に分割し、
前記比較手段が、形態素に分割された前記対象となるページ内の文書の最後の文字列の修飾関係を前記データベースに記憶されたものと比較し、該当する修飾関係に適応する文字列を含むページを検索することを特徴とする請求項４記載の画像形成装置。
【請求項６】
前記特定情報処理手段は、前記原稿画像データを画像処理する設定項目が記憶されており、前記原稿画像データに対応する設定項目を検索する検索手段を有することを特徴とする請求項１から５のいずれか１項に記載の画像形成装置。
【発明の詳細な説明】
【技術分野】
【０００１】
本発明は、原稿の画像を読み取って、その画像データを記憶保存し、必要に応じてその記憶した画像データを編集処理して要し上に画像形成して出力する画像形成装置に関し、特に、画像データを出力する画像の順番を変更可能な画像処理を行うことができる画像形成装置に関する。
【背景技術】
【０００２】
従来の画像形成装置では、複数枚の原稿の画像を読み取る際に、原稿の先頭ページから順番に読み取って記憶し、出力する場合は、記憶した画像データを読み取った順に出力するようにしていた。その際、複数枚の原稿を読み取る際に、原稿のページの順番がページ番号順でなかった場合には、読み取りを行う際にユーザがページ番号順に整理してから読み取りを行うため、手間を必要としていた。
【０００３】
そういった手間を解消するために、読み取る原稿のページが順番通りになっていなくても順番通りに出力を行う画像形成装置がある（特許文献１）。
【０００４】
特許文献１の発明は、複数枚の原稿を読み取り、読み取った画像データから原稿のページ番号を示すデータを認識し、認識したデータを記憶手段に記憶する。画像データを出力する際には、記憶手段に記憶されているページ番号を示すデータからページ番号の小さい順、または大きい順、すなわち、ページ番号に従って出力するものである。
【０００５】
また、どういう順番で画像データを出力するかは、出力する度にユーザに画面上で選択させるものである。
【特許文献１】特開２００３−２３４８５８号公報
【発明の開示】
【発明が解決しようとする課題】
【０００６】
しかしながら、原稿にページ番号は記載されていなかったり、ページ番号は不鮮明な場合には、原稿の内容に沿った順番に整えたり、ページ番号順に整えたりして出力することが困難となる。
【０００７】
本発明は、係る問題に鑑みて、複数枚の原稿が順番通りになっていなくても、ページ番号の認識あるいは原稿内の文書のつながりから原稿を順番通りに整えて表示または出力する画像形成装置を提供することを目的とする。
【課題を解決するための手段】
【０００８】
上記目的を達成するために、請求項１記載の画像形成装置は、複数枚の原稿を読み取る読取手段と、読取手段で読み取った原稿画像データを記憶する記憶手段と、記憶手段に記憶した原稿画像データを出力する出力手段とを備えた画像形成手段において、記憶手段に記憶した原稿画像データから所定の順番に並べ替えるための画像データを解析する解析手段と、解析手段で得られた画像データから所定の順番に並べ替えた原稿画像データを生成する生成手段と、原稿画像データに特定の処理を行うための特定情報を生成手段へ送信する特定情報処理手段と生成手段で生成された原稿画像データを表示する表示手段とを有することを特徴とする。
【０００９】
請求項２記載の発明は、請求項１記載の画像形成装置であって、解析手段は、複数枚の原稿にページ番号が印字されている場合には、読取手段で読み取った原稿画像データからページ番号を示す画像データを検出する検出手段を有することを特徴とする。
【００１０】
請求項３記載の発明は、請求項１または２記載の画像形成装置であって、生成手段は、解析手段で得られた画像データからページ番号に従って原稿画像データを生成することを特徴とする。
【００１１】
請求項４記載の発明は、請求項１記載の画像形成装置であって、解析手段は、原稿画像データ内の文字列を形態素に分割する分割手段と、形態素の構文上における修飾関係を記憶したデータベースと、分割手段によって分割された形態素をデータベース内の形態素の修飾関係とを比較する比較手段とを備えることを特徴とする。
【００１２】
請求項５記載の発明は、請求項４記載の画像形成装置であって、分割手段では、対象となるページ内の文書の最後の文字列と残りのページ内の文書の最初の文字列を形態素に分割し、比較手段が、形態素に分割された対象となるページ内の文書の最後の文字列の修飾関係をデータベースに記憶されたものと比較し、該当する修飾関係に適応する文字列を含むページを検索することを特徴とする。
【００１３】
請求項６記載の発明は、請求項１から５のいずれか１項に記載の画像形成装置であって、特定情報処理手段は、原稿画像データを画像処理する設定項目が記憶されており、原稿画像データに対応する設定項目を検索する検索手段を有することを特徴とする。
【発明の効果】
【００１４】
以上の説明から、本発明では、複数枚の原稿を読み取る際に、原稿が順番通りになっていなくても、ページ番号の認識するか原稿の文書のつながりから複数枚の原稿を正しい順番に整えて表示または出力することができる。
【発明を実施するための最良の形態】
【００１５】
次に、図面を参照して、本実施形態について説明する。
図１は、本実施形態に係る画像形成装置のシステム構成を示すブロック図である。
図１に示すように、画像形成装置１００は、原稿読取部１０１と画像記憶部１０２、画像解析部１０３、ユーザインタフェース部１０４、仕上がり画像生成部１０５、プレビュー画像表示部１０６、トラップ設定領域定義テーブル１０７、キーワード入力部１０８、画像印刷部１０９から構成されている。
【００１６】
原稿読取部１０１は、例えばユーザが図示しないＡＤＦ（原稿自動給紙装置）に載置した複数枚の原稿を読み取り、原稿画像データを画像記憶部１０２へ送信する。画像記憶部１０２は、原稿読取部１０１から送信された原稿画像データを記憶、保持すると共に、画像解析部１０３、仕上がり画像生成部１０５へ送信する。画像解析部１０３は、画像記憶部１０２から送信された原稿画像データから文字のつながりやページ番号の有無を解析し、複数枚の原稿の原稿特性値を抽出して仕上がり画像生成部１０５へ送信する。ユーザインタフェース部１０４は、画像解析部１０３が生成する原稿特性値に関連する機能の一覧である関連機能対応表（表１を参照）を有する関連機能対応部１０４ａと関連機能検索部１０４ｂとを備えている。
【００１７】
図２に示すように、文書のページ番号、タイトル、文章、図面といった箇所をエリアに分け、各エリアに関連する処理が関連機能対応表に記されている。ユーザは、関連機能検索部１０４ｂから各エリアに適した関連機能を検索することができる。
【００１８】
【表１】
2007142631.tif 000003
【００１９】
仕上がり画像生成部１０５は、プレビュー画像表示部１０６にプレビューするための画像を生成するものである。プレビュー画像表示部１０６は、仕上がり画像生成部１０５で生成された画像を表示するものである。
【００２０】
トラップ設定領域定義テーブル１０７は、プレビュー画像表示部１０６に表示された原稿画像に対し、タイトルや図などがある場合に、各要素に対応した領域を定義するための領域情報を保持している。キーワード入力部１０８は、ユーザがキーワードを入力することで、プレビュー画像表示部に、そのキーワードを含んだページが表示される。画像印刷部１０９は、複数枚の原稿をユーザが設定した順番で出力する。
【００２１】
ここで、画像解析部１０３から仕上がり画像生成部１０５へ送信される原稿特性値について説明する。
原稿特性値とは、例えば、原稿に印字されているページ番号やページをまたいでいる文字列のつながりである。画像解析部１０３は、原稿画像データから原稿に印字されているページ番号や文字列のつながりを取得し、原稿特性値として仕上がり画像生成部１０５へ送信する。
【００２２】
図３を参照して、画像解析部１０３の詳細な構成を説明する。
画像解析部１０３は、記憶部２０１とテキスト分割部２０２、比較部２０３、辞書データベース２０４、検出部２０５から構成されている。記憶部２０１は、画像記憶部１０２から送信された原稿画像データを一次的に記憶する。テキスト分割部２０２は、原稿画像データから文字列を形態素に分割する。比較部２０３は、形態素に分割された文字列を辞書データベース２０４に記憶されている修飾関係と比較する。辞書データベース２０４は、形態素の修飾関係が記憶されている。検出部２０５は、原稿画像データから所定の位置に印字されているページ番号を検出する。
【００２３】
ここで、テキスト分割部２０３が行う形態素解析について説明する。
日本語などの文書では、単語間に空白がなく区切られていないので、そのままの文書では基本とする検索インデックスを作成することができない。そこで、形態素辞書と形態素に関する文法の知識を用いて、文書を単語単位に「分かち書き」し、それぞれにおける語の構文上の役割を決める形態素解析を用いる。「分かち書き」とは、文書を書く時に語と語、または、文節と文節の間に空白を置く書き方である。
【００２４】
なお、形態素とは、それ以上分割できない語の単位であり、一般的には、意味を持つ最初の要素のことをいい、文はこの形態素で構成される。例えば、「文書を検索する」という文を、「文書」、「を」、「検索」、「する」、という形態素に分割することで、それぞれの形態素に意味を与え、構文解析や意味解析、文脈理解などの自然言語処理に活用する。
【００２５】
次に、図４を参照して、ページ番号の取得及び並べ替えについて説明する。
原稿読取部１０１が複数枚の原稿を読み取る（ステップＳ１００）。原稿読取部１０１は、読み取った原稿の原稿画像データを画像記憶部１０２へ送信する。画像記憶部１０２は、送信された原稿画像データを記憶すると共に、画像解析部１０３へ送信する。画像解析部１０３では、送信された原稿画像データを記憶部２０１で保持し、検出部２０５にて原稿に印字されたページ番号を検出する（ステップＳ１０１）。
【００２６】
検出部２０５は、検出したページ番号を原稿特性値として仕上がり画像生成部１０５へ送信する。仕上がり画像生成部１０５は、送信された原稿特性値からページ番号が順番通りか否かを判断する（ステップＳ１０２）。ページ番号が順番通りの場合（ステップＳ１０２／ＹＥＳ）、送信された原稿特性値に従って仕上がり原稿データを生成し、プレビュー画像表示部へ送信し、プレビュー画面に表示する（ステップＳ１０３）。
【００２７】
また、ページ番号が順番通りでない場合（ステップＳ１０２／ＮＯ）、仕上がり画像生成部１０５において、ページ番号を予め決められた設定（例えば、ページ番号を小さい順に、または大きい順）に従って並べ替える（ステップＳ１０４）。並べ替えられた仕上がり画像データをプレビュー画像表示部１０６へ送信し、プレビュー表示する（ステップＳ１０３）。
【００２８】
次に、図４を参照して、文字列のつながりでページを整える処理動作について説明する。
まず、原稿読取部１０１で複数枚の原稿を読み取る（ステップＳ２００）。次に、読み取った原稿の原稿画像データを画像記憶部１０２に記憶させると共に、画像解析部１０３へ送信する。画像解析部１０３では、送信された原稿画像データを記憶部２０１へ記憶する（ステップＳ２０１）。
【００２９】
記憶部２０１へ記憶された原稿画像データからテキスト分割部２０２では、まず、対象となるページのテキスト分割を行う（ステップＳ２０２）。テキスト分割２０２では、対象となるページの最後の文字列をテキスト分割する。図５に示すように、例えば、１ページ目の「今日の関東地方の天気は、午後から雨が降る」という文字列を形態素に分割する。形態素に分割された文字列は、「今日」、「の」、「関東」、「地方」、「天気」、「は」、「、」、「午後」、「から」、「雨」、「が」、「降る」となる。
【００３０】
テキスト分割部２０２は、対象となるページ（本実施形態では、１ページ目とする）の文字列を形態素に分割する。次に、対象となるページ以外のページ（２ページ目以降：比較対象ページとする）の最初の文字列をテキスト分割する（ステップＳ２０３）。
【００３１】
次に、比較部２０３では、比較対象ページの文字列のテキスト分割された形態素を辞書データベース２０４に問い合わせる（ステップＳ２０４）。比較対象ページのテキスト分割された文字列は、図５に示すように、２ページ目では、「して」、「、」、「私」、「は」となり、３ページ目では、「予定」、「で」、「ある」、「。」となり、４ページ目では、「日」、「、」、「６時半」、「に」となる。
【００３２】
ここで、比較部２０３は、辞書データベース２０４に形態素の修飾関係を問い合わせ、１ページ目の「降る」に続く文字列と比較対象ページの形態素に分割された文字列とを比較し、「降る」に続く最も適合した文字列を検索し、その文字列を含むページを１ページ目の次に続くページとする（ステップＳ２０５）。同様に、２ページ目以降に続くページの検索も上記の処理動作を繰り返すことで、正しいページ順に原稿を整えることができる。画像解析部１０３は、仕上がり画像生成部１０５へ原稿を順番通り並べ替えるための原稿特性値を送信するために、ステップＳ２０５における比較結果を原稿特性値として仕上がり画像生成部１０５へ送信する。
【００３３】
次に、仕上がり画像生成部１０５の処理動作について説明する。
まず、仕上がり画像生成部１０５は、画像記憶部１０２から原稿画像データを取得し、画像解析部１０３から原稿特性値を取得する（ステップＳ３００）。次に、原稿特性値を基に原稿を並べ替える（ステップＳ３０１）。仕上がり画像生成部１０５は、画像記憶部１０２から送信された原稿画像データを画像解析部１０３内の比較部２０３から送信された原稿特性値を基に順番通りに並べ替える。また、仕上がり画像生成部１０５では、送信された原稿特性値１０５を補正済み原稿特性値としてプレビュー画像表示部１０６へ送信する。
【００３４】
プレビュー画像表示部１０６は、トラップ設定領域定義テーブル１０７から送信された領域情報に従って、原稿画像を図８（ａ）に示すように領域を表示する。図８（ａ）では、本文の外枠の部分やタイトル、図や表、写真といった要素を領域で区分されている。そこで、図８（ｂ）に示すように、例えば、各領域にマウスのポインタを合わせることで、メニュー画面を表示させることができる。また、下記の表２に示すように、座標を指定することで、その座標にマウスのポインタを合わせることで、設定項目に示されているメニューを表示することができる。
【００３５】
【表２】
2007142631.tif 000004
【図面の簡単な説明】
【００３６】
【図１】本実施形態に係る画像形成装置の構成を示したブロック図である。
【図２】原稿の構成を示した図である。
【図３】図１に示す画像解析部の構成を示したブロック図である。
【図４】本実施形態に係る処理動作を示したフローチャートである。
【図５】本実施形態に係る処理動作を示したフローチャートである。
【図６】原稿の文字列のつながりを示した図である。
【図７】本実施形態に係る処理動作を示したフローチャートである。
【図８】原稿の領域を示した図である。
【符号の説明】
【００３７】
１００    画像形成装置
１０１    原稿読取部
１０２    画像記憶部
１０３    画像解析部
１０４    ユーザインタフェース部
１０４ａ    関連機能対応部
１０４ｂ    関連機能検索部
１０５    仕上がり画像生成部
１０６    プレビュー画像表示部
１０７    トラップ設定領域定義テーブル
１０８    キーワード入力部
１０９    プレビュー画像表示部
２０１    記憶部
２０２    テキスト分割部
２０３    比較部
２０４    辞書データベース
２０５    検出部
【図１】
2007142631.tif 000005
【図２】
2007142631.tif 000006
【図３】
2007142631.tif 000007
【図４】
2007142631.tif 000008
【図５】
2007142631.tif 000009
【図６】
2007142631.tif 000010
【図７】
2007142631.tif 000011
【図８】
2007142631.tif 000012